(57)【要約】  フェイスマスクを作製する方法を開示する。本方法は、機械方向に連続する弾性不織布ウェブを提供する工程であって、弾性不織布ウェブが機械方向に延在する中央レーンを有する、工程と、機械方向に連続し、中央レーンの横ウェブ幅と実質的に同じである横ウェブ幅を有するフィルタリングウェブを、弾性不織布ウェブの中央レーンに固着して、積層ウェブを提供する工程と、フェイスマスクを積層ウェブの中に打ち抜く工程と、を含む。フェイスマスク、及び複数個のフェイスマスクを上に配置させた連続積層ウェブも開示する。【選択図】図８Ａ
2013521055.tif 000002
【特許請求の範囲】
【請求項１】
フェイスマスクを作製する方法であって、
機械方向に連続する弾性不織布ウェブを提供する工程であって、前記弾性不織布ウェブが前記機械方向に延在する中央レーンを有し、前記中央レーンが横ウェブ幅を有する、工程と、
前記機械方向に連続し、前記中央レーンの前記横ウェブ幅と実質的に同じである横ウェブ幅を有するフィルタリングウェブを、前記弾性不織布ウェブの前記中央レーンに固着して、積層ウェブを提供する工程と、
フェイスマスクを前記積層ウェブの中に打ち抜く工程であって、前記フェイスマスクが、前記弾性不織布ウェブの部分と、前記フィルタリングウェブの部分と、を備え、前記弾性不織布ウェブの部分が、前記弾性不織布ウェブの前記中央レーンから打ち抜かれた中央部分を有する細長い形状と、それぞれ、対向して前記中央部分の側面に位置する第１及び第２の側方端部分とを有し、前記フィルタリングウェブの部分が前記中央部分に固着される、工程と、を含む、方法。
【請求項２】
前記フェイスマスクが、前記第１の側方端部分内の第１の開口部と、前記第２の側方端部分内の第２の開口部と、を更に備える、請求項１に記載の方法。
【請求項３】
少なくとも１つの切り込みが前記フェイスマスクの前記中央部分に提供されるように、前記弾性不織布ウェブの前記中央レーンに断続的にスリットを付ける工程を更に含む、請求項１に記載の方法。
【請求項４】
前記フィルタリングウェブが、前記中央部分が前記第１及び第２の側方端部分に対して、少なくとも一方向において、減少した伸長を有する様式で、前記弾性不織布ウェブの前記中央レーンに固着される、請求項１に記載の方法。
【請求項５】
前記機械方向に連続する第２のウェブを前記弾性不織布ウェブの前記中央部分に固着して、前記積層ウェブを提供する工程を更に含む、請求項１〜４のいずれか一項に記載の方法。
【請求項６】
前記機械方向に延在する少なくとも１つのプリーツを有するように、前記フィルタリングウェブ又は前記第２のウェブのうちの少なくとも１つをプリーツ加工する工程を更に含む、請求項５に記載の方法。
【請求項７】
細長い形状と、中央部分と、それぞれ対向して前記中央部分の側面に位置する第１及び第２の側方端部分と、前記第１の側方端部分に第１の開口部と、前記第２の側方端部分に第２の開口部と、を有する弾性不織布シートと、
前記弾性不織布シートの前記中央部分に固着されるフィルタリングウェブ部分であって、前記中央部分が前記第１及び第２の側方端部分に対して、少なくとも一方向において、減少した伸長を有する様式で、前記中央部分に固着される、フィルタリングウェブ部分と、を備える、フェイスマスク。
【請求項８】
前記フェイスマスクの上縁部及び底縁部の前記中央部分が、前記上縁部と前記底縁部との間の前記中央部分に対して減少した伸長を有する、請求項７に記載のフェイスマスク。
【請求項９】
前記弾性不織布シートが、前記中央部分に少なくとも１つの切り込みを有する、請求項７に記載のフェイスマスク。
【請求項１０】
前記弾性不織布シートの前記中央部分に直接的又は間接的に固着される第２のウェブ部分を更に備える、請求項７に記載のフェイスマスク。
【請求項１１】
前記フィルタリングウェブ部分又は前記第２のウェブ部分のうちの少なくとも１つが、少なくとも１つのプリーツを有する、請求項１０に記載のフェイスマスク。
【請求項１２】
前記弾性不織布シートの前記中央部分の少なくとも一部分が、１５％未満の伸長を有するか、又は前記弾性不織布シートの前記中央部分の少なくとも一部分が、少なくとも７０％の伸長を有する、請求項７〜１１のいずれか一項に記載のフェイスマスク。
【請求項１３】
請求項７〜１１のいずれか一項に記載のフェイスマスクを含む複数個のフェイスマスクを封入する容器を備え、前記容器が、前記複数のフェイスマスクを取り出すための開口を有する少なくとも１つの側面を有する、ディスペンサー。
【請求項１４】
機械方向に連続して位置付けられる複数個のフェイスマスクを含む連続積層ウェブであって、前記連続積層ウェブは、第１の長手方向縁部及び第２の長手方向縁部を有し、前記フェイスマスクのそれぞれが、弾性不織布ウェブの部分と、フィルタリングウェブの部分と、を備え、前記弾性不織布ウェブの前記部分が、細長い形状と、中央部分と、それぞれが対向して前記中央部分の側面に位置する第１及び第２の側方端部分と、を有し、前記側方端部分が、前記連続積層ウェブの前記第１の長手方向縁部に延在し、前記第２の側方端部分が、前記連続ウェブの前記第２の長手方向縁部に延在し、前記フィルタリングウェブの前記部分が、前記中央部分に固着される、連続積層ウェブ。
【請求項１５】
弾性材料の層と、少なくとも１つの平坦なプリーツを有する、平坦プリーツ加工された材料である少なくとも１つの部分層と、を備える、平坦な伸縮性フェイスマスクであって、前記平坦な伸縮性フェイスマスクを伸張すると、前記弾性材料が伸張し、前記少なくとも１つの平坦なプリーツが少なくとも部分的に開いて、前記少なくとも１つの部分層と、を拡張する、フェイスマスク。
【発明の詳細な説明】
【技術分野】
【０００１】
（関連出願の相互参照）
本出願は、共に２０１０年３月３日に出願された米国特許仮出願第６１／３０９，９３３号及び同第６１／３０９，９７２号、２０１０年９月１７日に出願された同第６１／３８４，０２７号及び同第６１／３８４，０４４号、並びに２０１０年１１月２日に出願された同第６１／４０９，３６３号の利益を主張し、それらの開示は参照によりその全体が本明細書に組み込まれる。
【背景技術】
【０００２】
保護フェイスマスクは、多くの分野において有用である。ヘルスケア分野において、フェイスマスクは、大気中の病原体から患者及びヘルスケア提供者の両方を保護し、体液又は他の液体に宿る病原体の移動を防止するのに有用であり得る。保護フェイスマスクの着用は、多くの工業的環境においても有用であり得る。
【０００３】
多くの保護フェイスマスクは、使用者の鼻及び口を覆う前側パネルと、この前側パネルを使用者の頭部にしっかりと取り付けることができる固定装置（例えば手動の結合ストラップ）とを有するように構成される。しばしば、前側パネル及び結合ストラップは、別々のプロセスで別々に作製された後、（例えば、接着剤、ステープル、又は他の機械式ファスナーを使用して）相互に取り付けられる。一緒に接合されなければならない別々の部品から構成されたフェイスマスクには欠点がある。フェイスマスクの前側パネルと結合ストラップとの間の取り付け点が、例えば、結合ストラップを引っ張ることにより壊れる場合がある。また、別々の部品の別々の製造プロセス及び接合工程は、比較的高価であり、時間がかかるプロセスをもたらす場合がある。加えて、取り付けを点はフェイスマスクの弱い部位であり得る。例えば、２つの部品の取り付けは、フェイスマスクの着用者に又は着用者からの病原体の移動を可能にするフェイスマスク内の開口をもたらす場合がある。
【０００４】
いわゆる単一片のフェイスマスクが公知である。この種類のフェイスマスクにおいて、前部パネルは、フェイスマスクを着用者に取り付けるために使用される開口部を有する側部パネルと一体に形成される。前部パネル及び側部パネルは、材料のウェブから打ち抜かれ、同時に形成され得る。これらのマスクの一部は、着用者の顔へのより良い適合を実現するように伸縮性である。しかしながら、伸縮性の単一片フェイスマスクは、一部の用途に所望されるフィルタ効率を有さない場合がある。
【発明の概要】
【発明が解決しようとする課題】
【０００５】
信頼できるフェイスマスク及びそれらを作製するための簡便な製造プロセスが、引き続き所望される。
【課題を解決するための手段】
【０００６】
本開示は、着用者の鼻及び口の少なくとも一部分の上に着用するための部分、並びにフェイスマスクを着用者の頭部に固定するための部分が一体型構造として形成されるフェイスマスクを提供する。フェイスマスクは、その少なくとも一部分が着用者の顔にぴったり合うように着用中に伸張することができる細長い形状の弾性シートと、弾性シートの中央部分にフィルタリングウェブ部分とを備える。有利に、フェイスマスクは、弾性不織布ウェブ及びフィルタリングウェブの連続ウェブ処理を使用して製造され得る。
【０００７】
一態様では、本開示は、フェイスマスクを作製する方法を提供し、本方法は、
機械方向に連続する弾性不織布ウェブを提供する工程であって、弾性不織布ウェブが機械方向に延在する中央レーンを有し、中央レーンが横ウェブ幅を有する、工程と、
機械方向に連続し、中央レーンの横ウェブ幅と実質的に同じである横ウェブ幅を有するフィルタリングウェブを、弾性不織布ウェブの中央レーンに固着して、積層ウェブを提供する工程と、
フェイスマスクを積層ウェブの中に打ち抜く工程であって、フェイスマスクが、弾性不織布ウェブの部分と、フィルタリングウェブの部分と、を備え、弾性不織布ウェブの部分が、弾性不織布ウェブの中央レーンから打ち抜かれた中央部分を有する細長い形状と、それぞれ、対向して中央部分の側面に位置する第１及び第２の側方端部分とを有し、フィルタリングウェブの部分が中央部分に固着される、工程と、を含む。いくつかの実施形態では、フェイスマスクは、第１の側方端部分に第１の開口部と、第２の側方端部分に第２の開口部とを更に備える。他の実施形態では、フェイスマスクは、第１の側方端部分に第１の型抜き部材と、第２の側方端部分に第２の型抜き部材とを含む。型抜き部材は取り除かれて、第１及び第２の側方端部分で耳に係合させるための第１及び第２の開口部を形成する。
【０００８】
別の態様では、本開示は、
細長い形状と、中央部分と、それぞれ対向して中央部分の側面に位置する第１及び第２の側方端部分と、第１の側方端部分に第１の開口部と、第２の側方端部分に第２の開口部と、を有する弾性不織布シートと、
弾性不織布シートの中央部分に固着されるフィルタリングウェブ部分であって、中央部分が第１及び第２の側方端部分に対して、減少した伸長を有する様式で、中央部分に固着される、フィルタリングウェブ部分とを備える、フェイスマスクを提供する。
【０００９】
他の態様では、本開示は、弾性材料の層と、少なくとも１つの平坦なプリーツを有する、平坦プリーツ加工された材料の少なくとも１つの部分層とを含む、平坦な伸縮性フェイスマスクを提供し、平坦な伸縮性フェイスマスクを伸張する時、弾性材料が伸張し、少なくとも１つの平坦なプリーツが少なくとも部分的に開いて、少なくとも１つの部分層を拡張する。いくつかの実施形態では、弾性材料は上述の弾性不織布シートであり、平坦なプリーツ加工された材料の部分層のうちの少なくとも１つは、弾性不織布シートの中央部分に固着されたフィルタリングウェブ部分である。
【００１０】
別の態様では、本開示は、機械方向に連続して位置付けられる複数個のフェイスマスクを含む連続積層ウェブを提供し、連続積層ウェブは、第１の長手方向縁部及び第２の長手方向縁部を有し、フェイスマスクのそれぞれは、弾性不織布ウェブの部分と、フィルタリングウェブの部分とを備え、弾性不織布ウェブの前記部分は、細長い形状と、中央部分と、それぞれが対向して中央部分の側面に位置する、第１及び第２の側方端部分とを有し、第１側方端部分は、連続積層ウェブの第１の長手方向縁部に延在し、第２の側方端部分は、連続ウェブの第２の長手方向縁部に延在し、フィルタリングウェブの部分は、中央部分に固着される。いくつかの実施形態では、フェイスマスクは、第１の側方端部分に第１の開口部と、第２の側方端部分に第２の開口部とを更に備える。他の実施形態では、フェイスマスクは、第１の側方端部分に第１の型抜き部材と、第２の側方端部分に第２の型抜き部材とを含む。型抜き部材は取り除かれて、第１及び第２の側方端部分で耳に係合させるための第１及び第２の開口部を形成する。
【００１１】
前述の態様のいずれかでは、弾性不織布シートの中央部分又は弾性不織布ウェブの部分の中央部分は、個人の口及び鼻の少なくとも一部分の上に着用するためのものである。第１及び第２の側方端部分は、個人の顔の両側の周囲に少なくとも部分的に延在して、個人の耳に係合させるためのものである。第１の開口部及び第２の開口部は、それぞれ、個人の耳に係合させることができる。
【００１２】
本開示に従う及び／又は本開示に従い作製されたフェイスマスクは、フェイスマスクが所望の用途のために所望の量の保護を提供するように選択され得るフィルタリング部分を有する。フィルタリングウェブ部分は、連続ウェブ処理を使用してフェイスマスク上に提供され得る。更に、フェイスマスクは、それが種々の異なるディスペンサーから容易に分配できる構成を有する。
【００１３】
したがって、別の態様では、本開示は、前述の態様のいずれかに従うフェイスマスクを含む、複数個のフェイスマスクを封入する容器を備えるディスペンサーを提供し、容器は、複数個のフェイスマスクを取り出すための開口を有する少なくとも１つの側面を有する。
【００１４】
本明細書では、「ａ」、「ａｎ」、及び「ｔｈｅ」などの用語は、１つの実体のみを指すことを意図するものではなく、具体例を例示のために用いることができる一般分類を含む。用語「ａ」、「ａｎ」、及び「ｔｈｅ」は、用語「少なくとも１つ」と同じ意味で使用される。品目リストがその後に続くフレーズ「〜のうちの少なくとも１つ」及び「〜のうちの少なくとも１つを含む」は、リスト内の品目のいずれか１つ及びリスト内の２つ以上の品目の任意の組み合わせを指す。全ての数値範囲は、特に明記しない限り、その端点と、端点間の非整数値を含む。
【００１５】
「第１」及び「第２」という用語が、本開示に使用される。特に断りのない限り、これらの用語は、それらの相対的な意味においてのみ使用されることが理解される。具体的には、幾つかの実施形態では、特定の構成要素が、交換可能に、かつ／又は同一の倍数（例えば、対）で存在してもよい。これらの構成要素について、単に、実施形態のうちの１つ以上を説明する便宜上、構成要素に「第１」及び「第２」という表記が適用される場合がある。
【００１６】
シート又はウェブを指す時、「不織布」という用語は、絡み合わされているが、編織物におけるように特定可能な方式では絡み合っていない個々の繊維又は糸の構造を有することを意味する。不織布又はウェブは、メルトブローンプロセス、スパンボンドプロセス、スパンレースプロセス、及び固着カードウェブプロセス等の種々のプロセスから形成され得る。
【００１７】
「弾性」という用語は、伸張又は変形からの回復を示すフィルム、繊維、不織布ウェブ、又はそれらの組み合わせを含む、あらゆる材料を指す。
【００１８】
本開示の上記の「課題を解決するための手段」は本開示の開示される各実施形態又はすべての実施を説明しようとするものではない。以下の説明文に、例示的な実施形態をより詳細に示す。したがって、図面及び以下の説明は、単に例示目的であって、本開示の範囲を不当に制限するように解釈されるべきではないことを理解するべきである。
【図面の簡単な説明】
【００１９】
以下の本開示の異なる実施形態の詳細な説明を添付図面と併せて考慮することで、本開示のより完全な理解が可能である。
【図１】本開示に従う及び／又は本開示に従い作製された、着用者に面した側の代表的なフェイスマスクの平面図。
【図２】本開示に従う及び／又は本開示に従い作製された、外側に面した側のフェイスマスクの代表的な実施形態の平面図。
【図３Ａ】図１のフェイスマスクの断面の側面図の代表的な実施形態。
【図３Ｂ】図１のフェイスマスクの断面の側面図の別の代表的な実施形態。
【図４Ａ】本開示に従う複数個のフェイスマスクの代表的な折り合わせ構成の略図。
【図４Ｂ】本開示に従う複数個のフェイスマスクの別の代表的な折り合わせ構成の略図。
【図４Ｃ】本開示に従う複数個のフェイスマスクの更に別の代表的な折り合わせ構成の略図。
【図４Ｄ】本開示に従う複数個のフェイスマスクの更に別の代表的な折り合わせ構成の略図。
【図４Ｅ】本開示に従う複数個のフェイスマスクの更に別の代表的な折り合わせ構成の略図。
【図４Ｆ】本開示に従う複数個のフェイスマスクの更に別の代表的な折り合わせ構成の略図。
【図５Ａ】本開示に従う複数個のフェイスマスクの一実施形態の斜視図。
【図５Ｂ】本開示に従う複数個のフェイスマスクの別の実施形態の斜視図。
【図５Ｃ】本開示に従う複数個のフェイスマスクの別の実施形態の斜視図。
【図６Ａ】本明細書で開示される複数個のフェイスマスクが分配され得る開口の一実施形態を示すディスペンサーの上面図。
【図６Ｂ】本明細書で開示される複数個のフェイスマスクが分配され得る開口の別の実施形態を示すディスペンサーの上面図。
【図７Ａ】図１に示されるフェイスマスクの連続ウェブから形成されたロールの斜視図。
【図７Ｂ】図１に示されるフェイスマスクの連続ウェブから形成されたロールの別の実施形態の斜視図。
【図８Ａ】本開示に従う及び／又は本開示に従い作製された、着用者に面した側のフェイスマスクの別の代表的な実施形態の平面図。
【図８Ｂ】図８Ａに示されるフェイスマスクの外側に面した側の平面図。
【図９】本開示に従うフェイスマスクを作製する代表的な方法の略図。
【発明を実施するための形態】
【００２０】
ここで、本開示の実施形態がより詳細に参照され、その１つ以上の実施例は、図面で図示される。一実施形態の一部として図示又は記載される特徴は、他の実施形態と共に使用され、第３の実施形態を得ることもできる。本開示はこれらの及び他の修正及び変形を含むことが意図される。
【００２１】
本開示に従う及び／又は本開示に従い作製されたフェイスマスク１０及び２０が、図１及び２に示される。図１では、フェイスマスク１０は、弾性材料（例えば、弾性不織布ウェブ）の部分を含み、図示される実施形態では、細長い形状を有する弾性不織布シート１２である。弾性不織布シート１２は、中央部分１４と、それぞれ、それぞれが対向して中央部分１４の側面に位置する、第１及び第２の側方端部分１６及び１８を有する。いくつかの実施形態では、中央部分１４は、約５０〜６０％までの横断方向の長さ、典型的には、横断方向の弾性不織布シート１２の少なくとも約３０〜３５％の長さを有する。中央部分１４は、個人の鼻及び口の少なくとも一部分の上に着用するためのものであり、第１及び第２の側方端部分１６及び１８は、それぞれ、個人の顔の両側の周囲に少なくとも部分的に延在して、個人の耳に係合させるように構成される。図示される実施形態では、第１の側方端部分１６は、個人の顔の左側の周囲に延在するように構成され得、第２の側方端部分１８は、個人の顔の右側の周囲に延在するように構成され得る。第１の側方端部分１６は、個人の耳に係合するように使用され得る開口１７を有し、第２の側方端部分１８は、個人のもう一方の耳に係合するための開口１９を有する。他の実施形態では、型抜き部材が開口１７及び１９の代わりに使用され得、型抜き部材の型抜き部分は、取り除かれて、開口を形成する。図１に示されるフェイスマスク１０は、フェイスマスクの着用者に面した側から見たものである。
【００２２】
図２は、フェイスマスクの外側に面した表面から見た、本開示に従う及び／又は本開示に従い作製されたフェイスマスクを図示する。図２では、フェイスマスク２０は、弾性材料（例えば、不織布ウェブ）の部分を含み、図示される実施形態では、細長い形状を有する弾性不織布シート２２である。弾性不織布シート２２は、中央部分２４と、それぞれ、それぞれが対向して中央部分２４の側面に位置する、第１及び第２の側方端部分２６及び２８を有する。中央部分２４は、個人の鼻及び口の少なくとも一部分の上に着用するために構成され、第１及び第２の側方端部分２６及び２８は、例えば、開口２７及び２９により、それぞれ、個人の顔の両側の周囲に少なくとも部分的に延在して、個人の耳に係合させるように構成される。図示される実施形態では、第１の側方端部分２６は、個人の顔の右側の周囲に延在するように構成され得、第２の側方端部分２８は、個人の顔の左側の周囲に延在するように構成され得る。
【００２３】
弾性不織布ウェブ（すなわち、弾性不織布シート１２及び２２）の部分内の任意の空孔１１及び２１も、図１及び２に図示される実施形態に示される。空孔２１は、任意に、図２に示される中央部分２４並びに第１及び第２の側方端部分２６及び２８を含む弾性不織布シート２２の全面積上に提供され得る。いくつかの実施形態では、空孔１１は、図１に示される弾性不織布シート１２の第１及び第２の側方端部分１６及び１８にのみ提供され得る。いくつかの実施形態では、空孔１１は、第１及び第２の側方端部分１６及び１８の部分にのみ提供され得る。例えば、空孔１１は、中央部分１４のすぐ隣に提供されないが、第１及び第２の側方端部分１６及び１８上の中央部分から少なくとも０．５（いくつかの実施形態では、少なくとも０．７、０．８、０．９、又は１）センチメートルの距離まで離れて提供され得る。弾性不織布材料は、典型的には、ある程度の多孔性を有し、任意の空孔１１及び２１は、弾性不織布シート１２及び２２に意図的に付与され得、約０．５ミリメートル〜約１．５ミリメートルの範囲の直径を有し得る。空孔１１及び２１は、例えば、フェイスマスク１０の通気性、伸長、又は快適性のうちの少なくとも１つを向上するのに有用であり得る。例えば、フェイスマスク１０が暑い又は湿気のある環境で着用される場合、フェイスマスク１０に提供される空孔１１（例えば、第１及び第２の側方端部分１６及び１８）は、快適性を向上するための空気の通過を可能にし得る。中央部分１４から離れた第１及び第２の側方端部分１６及び１８の空孔１１は、通気性、伸長、又は快適性についての所望と、鼻及び口の周囲へのフェイスマスク１０の良好な密封についての所望との平衡を保つことができる。いくつかの実施形態では、空孔は、弾性不織布材料の形成中、スパンレースプロセスを使用して、弾性不織布シート１２及び２２に付与される。他の実施形態では、空孔は、フェイスマスクが積層ウェブから切り取られるのと同じ工程で、又は微細複製打ち抜き器具を使用して前工程で、打ち抜き又はレーザーカットにより付与され得る。
【００２４】
弾性不織布シートは、白以外の色を有するか、又は複数色の模様を有することができる。又、図２に示すように、弾性不織布シートに、図が付与され得る。「図」という用語は、フェイスマスク上に見えるあらゆるデザイン、形状、模様、又は絵を意味し、具体的には、テキスト（例えば、１つ以上の英数字符号を含む）、１つ以上の絵を含む画像、及びそれらの組み合わせを含む。図示される実施形態では、絵は、外側に面した表面上の弾性不織布シートの中央部分２４に提供される。図（例えば、絵）は、印刷方法（例えば、スクリーン印刷、グラビア印刷、及びオフセット印刷）及び付着方法等の種々の手段を通して弾性不織布シートに付与され得る。色模様及び／又は図は、例えば、着用者が子供の場合、着用者に楽しみを提供することができる。
【００２５】
本開示に従う及び／又は本開示に従い作製されたフェイスマスクでは、中央部分、並びに弾性不織布シートの第１及び第２の側方端部分は、同じ材料から形成され、一体型構造を形成する。換言すれば、中央部分並びに第１及び第２の側方端小片は、後に一緒に接合される３つの別々の小片として形成されない。むしろ、中央部分並びに第１及び第２の側方端部分は、連続する構造である、弾性不織布シート１２及び２２を形成する。又、本開示に従う及び／又は本開示に従い作製されたフェイスマスクは、着用されない時、典型的には、平坦な（すなわち、平面）形状を有する。「平坦」という用語は、複数のウェブ部分のいずれか（例えば、フィルタリングウェブ部分又は第２のウェブ部分）が、弾性不織布シートによって画定される平面に実質的に平行（すなわち、１０、７．５、又は５°内の平行）であることを意味する。「平坦」という用語は、本明細書に開示されるフェイスマスクが、典型的には、全体としてのフェイスマスクを屈曲又は永久的に湾曲若しくは折り畳む位置に促すための手段（例えば、シール、継ぎ目、又は固着部）を有さないことも意味する。本開示に従う及び／又は本開示に従い作製されたフェイスマスクは、典型的には、フェイスマスクを屈曲又は永久的に湾曲若しくは折り畳む位置に促すことにより、第１と第２の側方端部分との間に内部空間を画定する中央部分にシール又は継ぎ目を有さない。一般に、フェイスマスクの平坦な又は平面形状は、本明細書に開示されるフェイスマスクの容易な連続ウェブ製造、コンパクトな積み重ね、及び容易な分配を可能にする。
【００２６】
本開示に従う及び／又は本開示に従い作製されたフェイスマスクは、種々の異なる大きさのフェイスマスクを含むことができる。フェイスマスクの大きさは、使用者により調節することができる。いくつかの実施形態では、弾性不織布シート（及びフェイスマスク）は、長手方向Ｌに１５（いくつかの実施形態では、１４、１３、１２、１１、１０、９、又は８まで）センチメートル（ｃｍ）まで、及び横断方向Ｔに３６（いくつかの実施形態では、３４、３２、３０、２８、２６、２４、２２、又は２０まで）ｃｍまでの最大寸法を有する。
【００２７】
図１に図示される実施形態では、フェイスマスク１０は、固着線３７沿って、弾性不織布シート１２の中央部分１４に固着されるフィルタリングウェブ部分を備える。以下に説明するフィルタリングウェブ部分又はフィルタリングウェブに関して、「フィルタリング」という用語は、フェイスマスク着用者からの呼気の一部分、又はフェイスマスク着用者によって引き起こされる吸入の一部分を分離する、又は取り除く工程を指す。フィルタリングウェブ部分又はフィルタリングウェブは、典型的には、病原性微生物の着用者への又は着用者からの透過に対する障壁を提供する工程、アレルギー物質（例えば、花粉）を捕捉する工程、微粒子を捕捉する工程、悪臭を捕捉する若しくは遮蔽する工程、液体を捕捉する若しくは液体に対する障壁を提供する工程、冷気を取り除く工程（すなわち、断熱を提供する）、又はウイルス若しくは細菌汚染を減少させる工程のうちの少なくとも１つを可能にする。
【００２８】
フィルタリングウェブ部分は、図３Ａ及び３Ｂに示されるように、断面図でより明確に見ることができる。図３Ａでは、弾性不織布シート１２の中央部分１４がフィルタリングウェブ部分３０に固着される。フィルタリングウェブ部分３０は、典型的には、弾性不織布シートの中央部分１４と同一の広がりを持つ部分層である。１つのフィルタリングウェブ部分３０が示されるが、いくつかの実施形態では、本明細書で開示されるフェイスマスクは、中央部分１４に固着される複数の（例えば、２つ、３つ以上）フィルタリングウェブ部分を含むことができる。フィルタリングウェブ部分３０は、フェイスマスクが着用される時、マスクの着用者に面した側上、又はマスクの外側に面した側上にあってもよい。２つ以上フィルタリングウェブが存在する場合、それらはあらゆる順序で配置され得る。例えば、２つのフィルタリングウェブ３０は、弾性不織布シート１２のいずれかの側上に相互に隣接するか、又は２つのフィルタリングウェブ３０は、弾性不織布シート１２の対向する側上にあってもよい。
【００２９】
図３Ａに図示される実施形態では、部分層フィルタリングウェブ部分３０が非弾性であるか、弾性不織布シートより有意に低い伸長を有する場合、フィルタリングウェブ部分３０は、フェイスマスクが個人の顔の周囲に設置される時に、中央部分１４が多少伸張することができるように、プリーツ３５を１つ有する。フィルタリングウェブ部分３０が２つ以上のプリーツ（例えば、２つ、３つ以上）を有して、フェイスマスクの伸張を可能にすることも、有用であり得る。プリーツは、あらゆる有用な構成で設置され得、例えば、単一のプリーツは、フェイスマスクの長手方向の中央線に沿って設置され得る。あるいは、単一のプリーツは、長手方向の中央線と、第１又は第２の側方端部分のいずれかとの間に設置され得る。２つのプリーツが使用される場合、それらはマスク上に対照的に設置されても、されなくてもよい。第１のプリーツは、長手方向の中央線と第１の側方端部分との間にあってもよく、第２のプリーツは、長手方向の中央線と第２の側方端部分との間にあってもよい。プリーツ３５は、フェイスマスクの長手方向Ｌにあるが、横断方向Ｔにあるプリーツも有用であり得る。プリーツ３５の折り畳みは、図１に示されるように、弾性不織布ウェブに少なくとも部分的に固着されるか、又はプリーツ３５の折り畳みは、固着されなくてもよい。
【００３０】
図３Ａに示されるプリーツは、単一のプリーツであるが、二重プリーツ又は他の複数のプリーツも、上述の構成のいずれかの、本明細書に開示されるフェイスマスクに有用であり得る。例えば、第１の二重プリーツの組は、長手方向の中央線と第１の側方端部分との間にあってもよく、第２の二重プリーツの組は、長手方向の中央線と第２の側方端部分との間にあってもよい。
【００３１】
いくつかの実施形態では、フィルタリングウェブ部分３０のプリーツ又は複数のプリーツ３５は、例えば、図３Ａに図示されるように、最初にフィルタリングウェブ又はフィルタリングウェブ部分をそれ自体の上に折り重ねた後、２回目にそれをそれ自体の上に折り重ねることにより作製される平坦なプリーツである。二重プリーツについて、この折り畳み模様は、通常、同じ折り畳み方向で２回繰り返される。複数のプリーツについて、この折り畳み模様は、通常、複数回繰り返される。二重プリーツ又は複数のプリーツは、所望により、重なり合ったプリーツ又は平行なプリーツであり得る。平坦なプリーツ材料において、プリーツ加工された材料の大部分は、弾性不織布シートによって画定された平面に実質的に平行（すなわち、１０、７．５、又は５°内の平行）である。図３Ａに示される平坦なプリーツは、本明細書に開示されるフェイスマスクのコンパクトな積み重ね又は巻き取りを可能にするのに有用である。対照的に、フィルタリングウェブ部分が伸縮結合積層体により弾性不織布シート１２に取り付けられる場合、フィルタリングウェブ部分におけるギャザーの存在は、本明細書に開示されるフェイスマスクのコンパクトな積み重ね又は巻き取りを妨げる可能性がある。したがって、いくつかの実施形態では、フェイスマスク（又はフェイスマスクの中央部分）は、伸縮結合積層体ではない。本明細書に使用される、「伸縮結合積層体」という用語は、一層が収集可能な層であり、もう一方の層が弾性層である、少なくとも二層を有する複合材料を指す。層は、弾性層が層の弛緩時に収集可能な層が収集されるように、その元の状態から引き延ばされる時、一緒に接合される。したがって、少なくとも１つの平坦なプリーツを有する平坦なプリーツ加工された材料の部分層は、伸縮結合積層体が平坦ではないため、「伸縮結合積層体」ではないであろう。
【００３２】
図３Ｂに図示される実施形態では、フェイスマスクは、弾性不織布ウェブの部分（すなわち、弾性不織布シート１２）の中央部分１４に固着される第２のウェブ部分３２を更に備える。弾性不織布シート１２、フィルタリングウェブ部分３０、及び第２のウェブ部分３２は、あらゆる構成で配置され得る。図示される実施形態では、第２のウェブ部分３２は、フィルタリングウェブ部分３０が弾性不織布シート１２と第２のウェブ部分３２との間に挿置されるようにフィルタリングウェブ部分３０上に配置される（すなわち、第２のウェブ部分３２は、それらの間のフィルタリングウェブ部分３０により弾性不織布シート１２の中央部分１４に間接的に固着される）。いくつかの実施形態では、第２のウェブ部分３２は、フェイスに対して柔軟である内側カバー層として役立つ場合がある。他の実施形態では、第２のウェブ部分３２は、フィルタリングウェブ部分が着用者から離れて面する弾性不織布シート１２の側上にあるように構成される場合、フィルタリングウェブ部分を保護する外側カバー層として役立つ場合がある。いくつかの実施形態では、第２のウェブ部分３２及び／又はフィルタリングウェブ部分３０は、弾性不織布シート１２の両側に配置され得る。いくつかの実施形態では、フィルタリングウェブ部分３０及び第２のウェブ部分３２は、弾性不織布ウェブの対向する側上にあってもよい。いくつかの実施形態では、弾性不織布シート１２は、使用者から離れて面する表面を形成し、１つ以上のフィルタリングウェブ部分３０は、使用者の顔に面する側上で弾性不織布シート１２の中央部分に配置され、第２のウェブ部分３２は、使用者の顔と直接接触するフィルタリングウェブ部分３０の上に固着される。
【００３３】
図３Ｂに図示される実施形態では、第２のウェブ部分３２は、フィルタリングウェブ部分３０とほぼ同じである横断方向Ｔの長さを有し、第２のウェブ部分３２及びフィルタリングウェブ部分３０の両方の縁部は、弾性不織布シート１２に平坦に（すなわち、端が折り畳まれることなく）固着される。いくつかの実施形態では、第２のウェブ部分３２は、横断方向Ｔにおいて、フィルタリングウェブ部分３０より長い。これらの実施形態のいくつかでは、第２のウェブ部分の長手方向縁部は、それらが弾性不織布ウェブシート１２に固着される前に、フィルタリングウェブ部分の長手方向縁部の周囲に折り畳まれ得る。他の実施形態では、第２のウェブ部分３２は、フィルタリングウェブ部分３０とほぼ同じである横断方向Ｔの長さを有し、第２のウェブ部分３２及びフィルタリングウェブ部分３０の両方の長手方向縁部は、それらが弾性不織布シート１２に固着される前に、それ自体に対して折り重ねられる。
【００３４】
いくつかの実施形態では、第２のウェブ部分３２は、平坦なプリーツ加工された材料の第２の部分層である。第２のウェブ部分３２及びフィルタリングウェブ部分３０は、図３Ｂに示されるように、少なくとも１つのプリーツ３５、又は２つ以上のプリーツ（例えば、２つ、３つ以上）を有し、フェイスマスクの伸張を可能にすることができる。プリーツは、フィルタリングウェブ部分について上述されるように配置され得る。いくつかの実施形態では、第２のウェブ部分３２は弾性である。これらの実施形態では、フェイスマスクの伸張は、第２のウェブ部分３２がプリーツ加工されていなくても可能である。いくつかの実施形態では、フィルタリングウェブ部分３０はプリーツ加工されるが、第２のウェブ部分３２はプリーツ加工されない。いくつかの実施形態では、弾性材料又は弾性不織布シートは、プリーツ加工される（例えば、弾性不織布シート、フィルタリングウェブ部分、及び第２のウェブ部分の３つ全てがプリーツ加工され得る）。図３Ｂに図示される実施形態では、フィルタリングウェブ部分３０及び第２のウェブ部分３２は、一緒にプリーツ加工される。他の実施形態では、フィルタリングウェブ部分３０及び第２のウェブ部分３２は、別々にプリーツ加工された後、所望により、プリーツと整合されて、又は整合されずに相互の上に位置付けられる。いくつかの実施形態では、第２のウェブ部分３２は、フィルタリングウェブ部分３０又はフィルタリングウェブ部分及び弾性不織布シート１２の中央部分１４と同一の広がりを持つ。加工される実施形態では、フィルタリングウェブ部分及び／又は第２のウェブ部分は、そのプリーツ加工された構成であるが、フェイスマスクの中央部分と同一の広がりを持つ。
【００３５】
部分層フィルタリングウェブ部分３０及び任意の第２のウェブ部分３２にプリーツ８５を有するフェイスマスクの別の実施形態が、図８Ａ及び８Ｂに示される。図８Ａ及び８Ｂでは、フェイスマスク８０は、細長い形状を有する弾性不織布シート８２である、弾性材料の部分（例えば、弾性不織布ウェブ）を備える。弾性不織布シート８２は、中央部分８４と、それぞれ、それぞれが対向して中央部分８４の側面に位置する、第１及び第２の側方端部分８６及び８８を有する。図８Ａに示されるフェイスマスク８０は、フェイスマスクの着用者に面した側から示され、図８Ｂは、フェイスマスクの表面に面する外側から示される。フェイスマスク８０の第１の側方端部分８６は、個人の耳に係合するように使用され得る開口８７を有し、第２の側方端部分８８は、個人のもう一方の耳に係合するための開口８９を有する。フェイスマスク８０の形状は、個人の鼻に順応させるように、中央部分８４の上縁部に沿って湾曲を含む。中央部分８４の底縁部の形状も、個人の顎に順応させるように形状され得る。
【００３６】
図８Ａに示されるように、フェイスマスク８０は、フィルタリングウェブ部分３０及び任意の第２のウェブ部分３２に２つの平坦なプリーツ８５を有する。プリーツ８５は、フェイスマスクの中央部分８４に対照的に位置する。第１のプリーツは、長手方向の中央線と第１の側方端部分８６との間にあり、第２のプリーツは、長手方向の中央線と第２の側方端部分８８との間にある。プリーツ８５の大きさ「ｄ１」及びプリーツ間の距離「ｄ２」は、顔への所望の適合、及び典型的には使用者の大きさにより調節され得る。例えば、「ｄ２」は、約０（すなわち、プリーツは、相互に隣接して位置し得る）〜約７．６ｃｍ（３インチ）の間で変動することができ、「ｄ１」は、約１．２７ｃｍ（０．５インチ）〜約５．７ｃｍ（２．２５インチ）の間で変動することができる。例えば、１４ｃｍより大きい横断方向の長さを有する中央部分を有するフェイスマスクについて、「ｄ１」及び「ｄ２」の距離がより大きいことが望ましい場合がある。プリーツ８５はまた二重プリーツであってもよい。図１に図示される実施形態のように、フィルタリングウェブ部分３０及び任意の第２のウェブ部分３２は、固着線３７に沿って弾性不織布シート８２の中央部分８４に固着される。
【００３７】
弾性不織布ウェブ（すなわち、弾性不織布シート８２）の部分の任意の切り込み８１も、図８ｂに図示される実施形態に示される。「切り込み」という用語は、材料を取り除かないウェブにおける切り込み（すなわち、スリット）、及び材料を取り除くウェブにおける切り込み（すなわち、空孔）を含むことが意図される。切り込み８１（示されるスリット）は、フィルタリングウェブ部分３０及び任意の第２のウェブ部分３２のプリーツ８５の付近に有利に設置され得る。切り込み８１は、フェイスマスクが伸張し、着用される時、プリーツ８５が切り込み８１から形成された弾性不織布シート８２の開口部を通して延在することを可能にする。このように、より大きな空間がプリーツによって作製されて、使用者の顔の特徴（例えば、鼻及び口）に順応させることができる。この構成における二重プリーツ（例えば、プリーツ８５のそれぞれが重なり合っている二重プリーツである）は、着用者の顔の特徴のために作製された空間の調節を増加させることができる。例えば、切り込み８１を通してプリーツを引っ張ることにより、所望する場合、着用者の鼻の周囲により大きな空間を広げることができる。切り込み８１は、必要条件ではないが、プリーツ８５の上に直接位置するように作製され得る。切り込み８１がプリーツ８５の上に直接位置するとき、それらはプリーツ８５の折り畳み上の中央に位置するか、又はそれらはオフセットであり得る。また、切り込み８１は、フェイスマスク８０上で長軸方向に中央に位置するか、又はそれらはオフセットであり得る。切り込み８１は、図８Ｂに示されるように直線の形態であるか、又はそれらは、ジグザグの形であるか、若しくは湾曲し得る（例えば、アーク型又はＳ字型）。フェイスマスク８０が着用されるとき、切り込み８１は、プリーツ８５の少なくとも一部分が弾性不織布シート８２を通して突出するのに十分長いことが有用である。例えば、切り込みは、フェイスマスクの長軸方向寸法の約１０％〜１００％（いくつかの実施形態では、１０％〜９９％、３０％〜９５％、又は５０％〜約９０％）である長さを有することができる。図示される実施形態では、２つの切り込み８１が示されるが、弾性不織布シートの中央部分は、少なくとも１つの切り込み（例えば、２つ、３つ以上の切り込み）を提供することができる。切り込みの数はプリーツの数に相当する場合がある。他の実施形態では、切り込みは、いずれのプリーツと関連しない場合があり（例えば、切り込みは全くプリーツ加工されないフェイスマスクに有用であり得る）、切り込みは、あらゆる望ましい位置にあってもよい。いくつかの実施形態では、長手方向の中央線の、又はその近くの中央部分に長手方向Ｌの弾性不織布シートに切り込みを位置付けて、例えば、着用者の鼻により大きな空間を与えることが有用であり得る。スリット又は空孔は、フィルタリングウェブに固着される前、又は例えば以下に説明する方法を使用して、フェイスマスクの打ち抜き中に、弾性ウェブに作製され得る。
【００３８】
本開示に従うフェイスマスクを作製する方法は、フィルタリングウェブ及び任意に第２のウェブを弾性不織布ウェブの中央レーンに固着し、積層ウェブを形成した後、フェイスマスクを積層ウェブの中に打ち抜く工程を伴う。積層ウェブは、あらゆる大きさのものであってもよく、複数個のフェイスマスク１０は、そこからあらゆる数、形状、又は大きさ（例えば、前述の大きさを含む）に打ち抜かれ得る。弾性不織布ウェブ、フィルタリングウェブ、及び第２のウェブは、典型的には、全て機械方向に連続している。連続する弾性不織布ウェブの中央レーンは、連続する弾性不織布ウェブの横ウェブ幅未満である横ウェブ幅を有する。中央レーンは、連続する弾性不織布ウェブの第１又は第２の長手方向縁部と整合されず、いくつかの実施形態では、連続する弾性不織布ウェブの長手方向の中央線を中心とする。中央レーンの横ウェブ幅は、弾性不織布ウェブの横ウェブ幅の約５０又は６０％までであってもよく、典型的には、その少なくとも約３０又は３５％である。フィルタリングウェブは、典型的には、中央レーンの横ウェブ幅と実質的に同じである（例えば、約１０、７．５、又は５％内）横ウェブ幅を有する。本開示に従うフェイスマスクのいくつかの実施形態では、弾性不織布シートは弾性不織布ウェブのものから形成された一部分であり、フィルタリングウェブ部分はフィルタリングウェブから形成され、任意の第２のウェブ部分は任意の第２のウェブから形成される。いくつかの実施形態では、本方法は、少なくとも１つの切り込みがフェイスマスクの中央部分に提供されるように、弾性不織布ウェブに断続的にスリットを付ける工程を含む。
【００３９】
本明細書に開示される方法では、フェイスマスクは、中央部分が連続する弾性不織布ウェブの中央レーンから打ち抜かれ、第１及び第２の側方端部分が、それぞれ、対向して中央部分の側面に位置するように、積層ウェブから打ち抜かれる。ウェブ上のフェイスマスクのこの構成は、例えば、機械方向の、フィルタリングウェブ及び任意に第２のウェブの弾性不織布ウェブへの連続する固着を可能にする。広範な結合技法が、フィルタリングウェブ及び任意に第２のウェブの、弾性不織布ウェブへの固着に有用であり得る。代表的な結合技法は、超音波溶接、熱接着（例えば、熱点接着）、接着剤結合、積層法、スティッチボンディング、溶接結合、ニードルパンチング、及び水交絡を含む。
【００４０】
いくつかの実施形態では、本開示に従うフェイスマスクを作製する方法は、フィルタリングウェブが少なくとも１つ（いくつかの実施形態では、２つ、３つ以上）の機械方向のプリーツを有するようにフィルタリングウェブをプリーツ加工する工程を更に含む。フィルタリングウェブにおけるプリーツ又は複数のプリーツは、上述のように、弾性不織布ウェブの長手方向の中央線に対して位置付けられ得る。プリーツ加工されたフィルタリングウェブ又はフィルタリングウェブ部分が、それぞれ、弾性不織布ウェブ若しくはシートの中央部分と同じ横ウェブ幅を有するか、又はそれと同一の広がりを持つと考えられる時、それは、言及されるプリーツ加工後のフィルタリングウェブ又はフィルタリングウェブ部分の幅である。上述のように、プリーツは、フィルタリングウェブを弾性不織布ウェブに固着し、フェイスマスクを積層ウェブに打ち抜く連続するプロセスを容易にするために、平坦なプリーツであり得る。いくつかの実施形態では、積層ウェブは、フィルタリングウェブに複数のギャザーを形成するであろう伸縮結合積層体ではない。少なくとも１つのプリーツの折り畳みは、固着されても、固着されなくてもよい。いくつかの実施形態では、少なくとも１つのプリーツ折り畳みは、フェイスマスクの上縁部及び底縁部に沿って固着される。これらの実施形態のいくつかでは、少なくとも１つのプリーツは、フェイスマスクの上縁部と底縁部との間で固着されない。これらの実施形態のいくつかでは、弾性不織布ウェブの中央部分は、フェイスマスクの上縁部及び底縁部に沿って伸長可能ではないが、フェイスマスクの上縁部と底縁部との間で伸長可能である。
【００４１】
本開示に従う方法のいくつかの実施形態では、方法は、機械方向に連続する第２のウェブを提供する工程と、中央レーン及びフィルタリングウェブの横ウェブ幅と実質的に同じ（例えば、約１０、７．５、又は５％内）である横ウェブ幅を有する工程と、第２のウェブを弾性不織布ウェブの中央レーンに固着し、積層ウェブを提供する工程とを更に含む。いくつかの実施形態では、第２のウェブは、横ウェブ方向のフィルタリングウェブより長い。これらの実施形態のいくつかでは、第２のウェブの長手方向縁部は、それらが弾性不織布ウェブに固着される前に、フィルタリングウェブの長手方向縁部の周囲に折り畳まれ得る。他の実施形態では、第２のウェブは、フィルタリングウェブと実質的に同じである横ウェブ方向の長さを有し、第２のウェブ部分及びフィルタリングウェブの両方の長手方向縁部は、それらが弾性不織布ウェブに固着される前に、それ自体に対して折り重ねられる。これらの実施形態のいくつかでは、第２のウェブは弾性である。いくつかの実施形態では、本開示に従うフェイスマスクを作製する方法は、第２のウェブが少なくとも１つの機械方向のプリーツを有するように第２のウェブをプリーツ加工する工程を更に含む。プリーツ又は複数のプリーツは、上述のフィルタリングウェブと同じ構成を有し得る。
【００４２】
フィルタリングウェブ及び任意の第２のウェブはプリーツ加工され得るが、一般に、本開示に従うフェイスマスクを作製する方法は、ウェブ処理中、弾性ウェブ、フィルタリングウェブ、及び／又は第２のウェブを半分又は他の一部分（例えば、３分の１）に折り畳む工程を含まない。
【００４３】
本開示に従うフェイスマスクを作製する方法の実施形態の略図は、図９に図示される。図示される実施形態では、第２のウェブ２３２及びフィルタリングウェブ２３０は、所望のプリーツ構成が提供されるプリーツ加工台２３５の中に一緒に供給される。いくつかの実施形態では、機械方向に断続的に切り込みが入れられる弾性ウェブ２１２は、上述の結合法のいずれかを利用することができる固着台２３７でフィルタウェブ２３０及び第２のウェブ２３２に接合される。固着後、接合されたウェブは、打ち抜き台２４５を通過して、所望により、積み重ね及びパッケージング台２７０でパッケージ化され得る、個別のフェイスマスク２００を提供する。
【００４４】
本開示に従う及び／又は本開示に従い作製されたフェイスマスクについて、弾性不織布シートの第１の側方端部分、第２の側方端部分、及び中央部分は、全て相互に一体に形成され、一体となって連続する弾性不織布ウェブから打ち抜かれ得る。打ち抜きは、例えば、連続切り込み又は不連続切り込み（例えば、ミシン目）を有する積層ウェブに切り込みを入れる工程を含む。切り込み（例えば、連続又は不連続切り込み）は、例えば、打ち抜き（例えば、回転式打ち抜き）又はレーザーカットを使用して行われる。フェイスマスクが積層ウェブから打ち抜かれる時、第１の側方端部分に第１の開口部、及び第２の側方端部分に第２の開口部を有するか、又は第１の側方端部分に第１の型抜き部材、及び第２の側方端部分に第２の型抜き部材を有することができる。再び図１を参照すると、いくつかの実施形態では、第１の側方端部分１６及び第２の側方端部分１８は、それぞれ、開口１７及び１９になる型抜き部材でそれぞれ打ち抜かれる。型抜き部材の取り除きは、使用者がフェイスマスク１０を得た後に行われるか、又は使用者によって最終的に購入され、使用される前の製造の後期段階で行われ得る。いくつかの実施形態では、フェイスマスク１０の打ち抜きと同時に、開口１７は、第１の側方端部分１６の中に打ち抜かれ、開口１９は、第１の側方端部分１８の中に打ち抜かれる。任意の空孔１１も、フェイスマスク１０の打ち抜き（例えば、打ち抜き）と同時に、弾性不織布ウェブの少なくとも一部分の中に形成され得る。あるいは、積層ウェブ又は弾性不織布ウェブは、弾性不織布ウェブがフィルタリングウェブ及び任意に第２のウェブに固着される前に、微細複製切り込み器具で処理されて、ウェブの少なくとも一部分に空孔を形成することができる。
【００４５】
上述の複数個のフェイスマスクの連続するウェブ製造は、個々の製造工程が削減される、又は排除されるという点で有利である。連続するウェブ製造は、中央部分並びに第１及び第２の側方端部分が打ち抜きプロセス中に同時に形成され得るため、可能である。更に、機械方向に連続するフィルタリングウェブ、弾性不織布ウェブ、及び任意の第２のウェブが使用され得るフェイスマスク構成である。フィルタリングウェブ及び第２のウェブは、弾性不織布ウェブに同時に固着され得、フェイスマスクは、続いて、一工程で打ち抜かれ得る。
【００４６】
本明細書に開示される方法及びフェイスマスクについて、弾性ウェブ又はその一部分（例えば、弾性層）は、本開示に従う及び／又は本開示に従い作製されたフェイスマスクが容易に分配され得る、柔軟で、可撓性の材料、又は複数の材料から作製される。典型的には、弾性材料は弾性不織布材料である。弾性不織布シートは、例えば、第１又は第２の側方端部分が手で掴め、弾性不織布シートを変形若しくは断裂せずにディスペンサーから引き抜くことができるように弾力的な材料である。いくつかの実施形態では、例えば、折り合わされたフェイスマスクの積み重ねにおいて、弾性不織布シートは、永久的に折れたり、しわにならない。同様に、フィルタリングウェブ若しくはその一部分及び／又は第２のウェブ若しくはその一部分は、柔軟で、可撓性の材料から作製され得る。
【００４７】
弾性ウェブ（例えば、不織布ウェブ）又はその一部分（例えば、弾性不織布シート若しくは弾性層）は、１つ以上の方向に伸張することができる。いくつかの実施形態では、弾性不織布シートは、少なくとも５（いくつかの実施形態では、少なくとも１０、２５、４０、５０、７５、又は１００）％、及び少なくとも一方向において、約１５０、２００、２５０、３００、３５０、又は５００％までの伸長を有する。延伸倍率に関する伸長は、｛（伸長した長さ−初期の長さ）／初期の長さ｝を１００で掛ける。例えば、初期の長さが１ｃｍの材料が０．５０ｃｍ伸張した、つまり伸長した長さが１．５０ｃｍになる場合、材料は、５０％の伸長を有すると考えることができる。いくつかの実施形態では、弾性不織布シート又は弾性層は、横断方向Ｔ及び長手方向Ｌの両方に伸張することができる（図２及び８Ａを参照）。いくつかの実施形態では、第１及び第２の側方端部分並びに中央部分の全てが１つ以上の方向に伸張することができる。横断方向又は長手方向のうちの少なくとも一方向において、弾性不織布シート又は弾性層が伸張する能力は、典型的には、着用者の顔をより完全に覆うことを可能にし、使用者の種々の大きさの顔への順応により大きな可撓性を提供する。特に、中央部分における横断方向及び／又は長手方向の伸張は、典型的には、顔へのより良い適合を可能にする。
【００４８】
弾性材料（例えば、弾性不織布シート又は層）も、伸張からの回復を示す。回復は、付勢力の印加により材料の伸張後、付勢力が停止した時の伸張した材料の収縮を指す。例えば、弛緩した、付勢されてない長さが１ｃｍの材料が、伸張により５０％伸長して１．５ｃｍの長さになり、続いて、伸張力の解除後、１．１インチ（２．８ｃｍ）の長さに収縮する場合、その材料は、その伸長の８０％（０．４インチ（１．０ｃｍ））を回復したことになる。弾性不織布シート又は層は、例えば、少なくとも２５、５０、６０、７０、７５、又は８０％の回復率を有することができる。
【００４９】
本開示に従う及び／又は本開示に従い作製されたフェイスマスクのいくつかの実施形態では、フィルタリングウェブ部分は、弾性不織布部分又はシートの中央部分が第１及び第２の側方端部分に対して、少なくとも一方向において、減少した伸長を有する様式で、中央部分に固着される。これらの実施形態では、フィルタリングウェブ部分は非弾性であるか、又は弾性不織布部分若しくはシートより低い伸長を有する。これらの実施形態のいくつかでは、伸長した弾性不織布部分又はシートの中央部分は、長手Ｌ方向又は横断Ｔ方向のうちの少なくとも１つにおいて、１５（いくつかの実施形態では、１４、１３、１２、１１、又は１０まで）％未満の伸長を有する。これらの実施形態の他のものでは、伸長した弾性不織布部分又はシートの中央部分の少なくとも一部は、少なくとも７０（いくつかの実施形態では、少なくとも７５、８０、又は８５）％、及び横断Ｔ方向において、約１６０、１５０、１２５、１１０、又は１００％までの伸長を有する。長手方向Ｌは機械方向に相当し、横断方向Ｔは横ウェブ方向に相当する。いくつかの実施形態では、中央部分の異なる部分は、同じ方向において異なる伸長を有することができる。例えば、伸長した不織布シートの中央部分の上縁部及び底縁部で、伸長は、横断方向において、５（いくつかの実施形態では、４、３、２、又は１）％までであってもよく、一方、上縁部と底縁部との間では、伸長は、横断方向において、５より大きく、１５（いくつかの実施形態では、１４、１３、１２、１１、又は１０まで）％までであってもよい。他の実施形態では、伸長した不織布シートの中央部分の上縁部及び底縁部で、伸長は、横断方向において、５（いくつかの実施形態では、４、３、２、又は１）％までであってもよく、一方、上縁部と底縁部との間では、伸長は、横断方向において、少なくとも７０（いくつかの実施形態では、７５、８０、又は８５まで）％までであってもよい。上縁部及び底縁部での減少した伸長は、例えば、使用者の顔に対する良好な密封を提供するのに有用であり得る。いくつかの実施形態では、伸長した弾性不織布シートの中央部分は、長手Ｌ方向において、１０（いくつかの実施形態では、７．５、５、２．５、２、又は１まで）％未満の伸長を有する。いくつかの実施形態では、第１の側方端部分及び第２の側方端部分は、それぞれ、少なくとも１５（いくつかの実施形態では、少なくとも２０、２５、３０、４０、５０、７５、９０、又は１００）％、及び長手Ｌ方向又は横断Ｔ方向のうちの少なくとも一方向において、約５００（いくつかの実施形態では、３５０、３００、２５０、又は２００）％までの伸長を有する。中央部分又は中央レーンにおける伸長の量は、例えば、材料の選択（例えば、弾性不織布ウェブ、フィルタリングウェブ、及び第２のウェブについて）、フィルタリングウェブ部分及び中央部分の取り付けの程度、並びに中央部分をフィルタリングウェブ部分に取り付ける時のプリーツの大きさ及び数により制御され得る。中央部分の伸長を制限することにより、より良い濾過特性を可能にする。例えば、多孔質の弾性材料（例えば、弾性不織布ウェブ）が伸張される時、汚染物質が通過できる大きな空間が材料に開かれる場合がある。一方で、中央部分におけるより大きな伸長は、顔へのより良い適合を可能にすることができる。
【００５０】
様々な種類の不織布材料が、有用な弾性不織布ウェブ又はその一部分（例えば、シート）を提供することができる。いくつかの実施形態では、弾性不織布ウェブ又はその一部分は、スパンボンド、メルトブローン、又はスパンレース不織布を含む。「スパンボンド」という用語は、押し出されるフィラメントの直径を有する、複数の微細で、通常は円形の紡糸口金のキャピラリーから、溶融した熱可塑性材料をフィラメントとして押し出し、その後急激に繊維に縮小させることにより形成される小径繊維を指す。スパンボンド繊維は一般に連続しており、一般的に約７ミクロンより大きい、より具体的には約１０〜２０ミクロンの直径を有する。「メルトブローン」という用語は、溶融熱可塑性材料を溶融糸又はフィラメントとして、複数の微細で通常は円形のダイキャピラリーを通して収束高速で通常は高温のガス（例えば空気）流中に押し出すことにより形成される繊維を意味し、この収束高速ガス流は、溶融熱可塑性材料のフィラメントを減衰して、おそらく超極細繊維の直径にそれらの直径を低減する。その後、高速ガス流によって、メルトブローン繊維は移動され、収集面上に堆積し、無作為に分散されたメルトブローン繊維のウェブを形成する。一般に、メルトブローン繊維は、一般に１０ミクロン未満の直径を有する連続又は不連続であり得る超極細繊維である。スパンレースは、水の高速ジェットを使用して、ウェブを打ち、ウェブの繊維を混ぜ合わせる。スパンレースは、水流交絡としても知られており、例えば毛羽立てられたウェブ及びエアレイドウェブを使用して作製される、繊維状のウェブ上で実施され得る。
【００５１】
弾性不織布ウェブ又はその一部分（例えば、シート）を作製するための代表的な有用な材料は、ＡＢＡブロックコポリマー等の熱可塑性エラストマー、ポリウレタンエラストマー、ポリオレフィンエラストマー（例えば、メタロセンポリオレフィンエラストマー）、ポリアミドエラストマー、エチレンビニルアセテートエラストマー、及びポリエステルエラストマーが挙げられる。ＡＢＡブロックコポリマーエラストマーは、概して、Ａブロックがポリスチレン系であり、かつＢブロックが共役ジエン（例えば、低級アルキレンジエン）であるエラストマーである。Ａブロックは、主に置換（例えば、アルキル化）若しくは非置換スチレン系部分（例えば、ポリスチレン、ポリ（アルファメチルスチレン）、又はポリ（ｔ−ブチルスチレン））から概して形成され、１モル当たり約４，０００〜５０，０００グラムの平均分子量を有する。Ｂブロックは、主に置換又は非置換であり得る共役ジエン（例えば、イソプレン、１，３−ブタジエン、又はエチレン−ブチレン単量体）から概して形成され、１モル当たり約５，０００〜５００，０００グラムの平均分子量を有する。Ａ及びＢブロックは、例えば、線状、放射状、又は星形構成で構成されてもよい。ＡＢＡブロックコポリマーは、複数のＡ及び／又はＢブロックを含有してもよく、ブロックは同一の又は異なる単量体から作製されてもよい。典型的なブロックコポリマーは、線状ＡＢＡブロックコポリマーであり、Ａブロックは同一であるか若しくは異なるか、又はＡブロックで主に終端する、３つ以上のブロックを有するブロックコポリマーであってもよい。マルチブロックコポリマーは、例えば、より粘着性のあるエラストマーフィルムセグメントを形成する傾向がある、ある特定の割合のＡＢジブロックコポリマーを含有してもよい。いくつかの実施形態では、本開示を実践するために有用な弾性不織布シートは、種々の有用な材料（例えば、ポリプロピレン、ポリプロピレン−ポリエチレンコポリマー、及び熱可塑性ポリウレタン）から作製される。いくつかの実施形態では、弾性不織布ウェブは、例えば、多成分（例えば、コア−シース等の二成分）繊維から作製される。いくつかの実施形態では、弾性不織布ウェブは、層における異なる材料（例えば、上述の材料）の多層積層体である。例えば、弾性不織布ウェブは、２つのスパンボンド繊維の層の間に、メルトブローン繊維の層を含むことができる。
【００５２】
材料は、弾性不織布部分又はシートについて、例えば、それらが皮膚に対してどのように感じるかにより選択され得る。弾性不織布シートは、皮膚に対して柔軟な手触りの材料から作製され得る。弾性不織布シートは、それらが動かないように、ゴムのような手触りを有する材料からも作製され得る。
【００５３】
弾性不織布シートを作製するのに有用ないくつかの材料は、例えば、商品名「ＶＩＳＴＡＭＡＸＸ」として、ＥｘｘｏｎＭｏｂｉｌ，Ｈｏｕｓｔｏｎ，Ｔｅｘａｓから市販されているポリオレフィン、及び商品名「ＩＲＯＧＲＡＮ」として、Ｗｏｏｄｌａｎｄｓ，Ｔｅｘａｓから市販されている熱可塑性ポリウレタンエラストマーがある。いくつかの実施形態では、弾性不織布シートは、ｍａｒｎｉｘ不織布材料を含む。いくつかの実施形態では、弾性不織布シートは、商品名「ＳＴＲＡＦＬＥＸ」として、Ｉｄｅｍｉｔｓｕ  Ｋｏｓａｎ  Ｃｏ．，Ｌｔｄ．，Ｔｏｋｙｏ，Ｊａｐａｎから入手可能なスパンボンド不織布を含む。
【００５４】
種々の材料が、フィルタリングウェブ又はその一部分を作製するのにも有用である。いくつかの実施形態では、フィルタリングウェブも、不織布（例えば、ポリプロピレン不織布材料）である。いくつかの実施形態では、フィルタリングウェブは、微細複製穿孔フィルムである。フィルタリングウェブは、不織布材料又は微細複製穿孔フィルムの多層を含むこともできる。いくつかの実施形態では、フィルタリングウェブは、帯電される。帯電濾過媒体は、典型的には、その電荷によってフィルタに向かって濾過されるように粒子を引き付けることにより、濾過の性能を増加させる。いくつかの実施形態では、フィルタリングウェブはエレクトレットである。エレクトレット処理は、いくつかの異なる技法によって実行され得る（例えば、米国特許第５，４０１，４４６号（Ｔｓａｉら）、同第４，２１５，６８２号（Ｋｕｂｉｋら）、同第４，３７５，７１８号（Ｗａｄｓｗｏｒｔｈ）、同第４，５９２，８１５号（Ｎａｋａｏ）、及び同第４，８７４，６５９号（Ａｎｄｏ）、それらの開示は参照によりそれらの全体が本明細書に組み込まれる）。いくつかの実施形態では、フィルタリングウェブ若しくはその一部分及び／又はフェイスマスクは、少なくとも９９（いくつかの実施形態では、９８、９７、９６、又は９５）％のフィルタ効率を有する。
【００５５】
いくつかの実施形態では、フィルタリングウェブ又はフィルタリングウェブ部分は、例えば、フェイスマスクの着用者を不快臭から保護するのに有用である。これらの実施形態のいくつかでは、フィルタリングウェブは、活性炭又は他の粒子で装填される。これらの実施形態のいくつかでは、フィルタリングウェブは、例えば、パッドの形態で、２つ以上の材料の層を含むことができる。フィルタリンウェブは、従来の技法を使用して、不織布にわたって均一に分散された粒子を有する不織布ウェブであり得る。あるいは、フィルタリングウェブは、不織布に埋設された粒子を用いた、例えばＫｕｒａｒａｙ  Ｃｈｅｍｉｃａｌ  Ｃｏ．，Ｏｓａｋａ，Ｊａｐａｎから入手可能な、例えば活性炭繊維不織布で形成され得る。他の実施形態では、フィルタリングウェブは、（例えば、不快臭を遮蔽するため）芳香剤が提供される。
【００５６】
いくつかの実施形態では、フィルタリングウェブ又はその一部分は、断熱である超極細繊維の不織布ウェブである。例えば、フィルタリングウェブは、米国特許第４，１１８，５３１号（Ｈａｕｓｅｒ）に記載される超極細繊維とけん縮短繊維との混合物を含むことができ、その開示は、参照によりその全体が本明細書に組み込まれる。これらの実施形態のいくつかでは、フィルタリングウェブは、例えば、パッドの形態で、２つ以上の材料の層を含むことができる。
【００５７】
いくつかの実施形態では、フィルタリングウェブ又はその一部分は、抗ウイルス剤、抗菌剤、又は抗真菌剤を含む。この種類の適切な薬剤は、クエン酸、ホウ酸、及び酸化銀を含む。実施形態のいくつかでは、フィルタリングウェブは、抗ウイルス剤、抗菌剤、又は抗真菌剤が適用される（例えば、米国特許第４，８５６，５０９号（Ｌｅｍｅｌｓｏｎ）に記載される、ローリング又は噴霧により）不織布ウェブを含む。抗ウイルス剤、抗菌剤、又は抗真菌剤は、マスクと接触する可能性のある大気中の病原体及び体液又は他の液体中の病原体を死滅させるのに有用であり得る。
【００５８】
いくつかの実施形態では、フィルタリングウェブ部分又はフィルタリングウェブは、商品名「ＴＨＩＮＳＵＬＡＴＥ」として、３Ｍ  Ｃｏｍｐａｎｙ，Ｓｔ．Ｐａｕｌ，Ｍｉｎｎ．から入手可能な超極細繊維断熱である。
【００５９】
いくつかの実施形態では、フィルタリングウェブ部分又はフィルタリングウェブは、例えば、少なくとも一表面上に低表面エネルギーコーティング又はウェブに埋設された低表面エネルギー材料を有することにより、液体への障壁を提供する。低表面エネルギーコーティング又は材料は、例えば、ワックス、シリコーン、又はフッ素性化学添加剤を用いて提供され得る。適切なフッ素性化学添加剤は、米国特許第５，０２５，０５２号（Ｃｒａｔｅｒら）、同第５，０９９，０２６号（Ｃｒａｔｅｒら）、同第５，７０６，８０４号（Ｂａｕｍａｎｎら）、及び同第６，１２７，４８５号（Ｋｌｕｎら）に記載されるものを含む。液体への障壁を提供する（すなわち、耐流体）フィルタリングウェブは、例えば、手術用マスクに有用であり得る。
【００６０】
いくつかのフィルタリング部分は多機能を有するように設計されるが、本開示に従うフェイスマスクは、それぞれが同じ又は異なる機能を備えるフィルタリングウェブ部分を有する、２つの異なるフィルタリングウェブ部分を含むことができる。例えば、フェイスマスクは、微粒子を取り除くために装入される第１のフィルタリングウェブ部分、及び断熱を提供するように設計される第２のフィルタリングウェブ部分の両方を含むことができる。いくつかの実施形態では、フェイスマスクは微粒子を取り除くために装入される第１のフィルタリングウェブ部分、及び抗ウイルス剤、抗菌剤、又は抗真菌剤で処理される第２のフィルタリングウェブ部分の両方を含むことができる。別の実施形態では、フェイスマスクは、耐流体を提供するように装入される第１のフィルタリングウェブ部分、及びそのように設計される第２のフィルタリングウェブ部分の両方を含む。これらの実施形態のいくつかでは、耐流体を提供するフィルタリングウェブ部分は、弾性不織布シートに隣接して位置付けられ得る。これらの実施形態のいくつかでは、弾性不織布シート８２は、図８Ｂに示され、上述されるスリット８１を有することができる。これらの実施形態に従いフェイスマスクを作製するために、所望の機能を伴う２つの異なるフィルタリングウェブが、本開示に従うフェイスマスクを作製する方法に使用され得る。
【００６１】
種々の材料が、任意の第２のウェブ又はその一部分を作製するのに有用でもある。いくつかの実施形態では、第２のウェブも不織布である（例えば、ポリプロピレン、ポリプロピレン−ポリエチレンコポリマー、又は天然繊維から作製される）。いくつかの実施形態では、第２のウェブは、微細複製穿孔フィルムである（例えば、ポリプロピレンから作製される）。第２のウェブは、不織布材料又は微細複製穿孔フィルムの多層を含むこともできる。いくつかの実施形態では、第２のウェブは、不織布ウェブ（例えば、スパンボンド、メルトブローン、又はコフォーム不織布ウェブ、又は固着カードウェブ）である。「コフォーム」という用語は、少なくとも１つの他の材料（例えば、パルプ又は短繊維）がメルトブローン形成中に添加されるメルトブローン材料を意味する。いくつかの実施形態では、第２のウェブ又はその一部分は、弾性不織布ウェブと同じ材料で作製される。いくつかの実施形態では、第２のウェブは、ネッキングさせた不織布ウェブ又は可逆的にネッキングさせた不織布ウェブである。ネッキングプロセスは、典型的に、供給ロールから材料を巻き出し、所定の線速度でブレーキニップロールアセンブリを通過させることを伴う。ブレーキニップロールより大きい線速度で操作される巻き取りロール又はニップは、材料を引き付け、布地を伸長し、ネッキングさせるのに必要な張力を生成する。可逆的にネッキングさせた材料が望ましい時、伸張材料は、伸張状態にある間に加熱され、冷却される。伸張材料の加熱及び冷却は、ポリマーの更なる結晶化を生じ、ヒートセットを付与する。ネッキングさせた材料が弾性不織布シートに固着されるときに、延びて、弾性不織布シートと共に引き戻ることができる。いくつかの実施形態では、第２のウェブ又はその一部分は、低密度（例えば、平方メートル当り１０〜３０グラム）のスパンボンドポリプロピレンである。
【００６２】
本開示に従うフェイスマスク及び／又は本開示に従い作製されたフェイスマスクは、フィルタリングウェブ又はフィルタリングウェブ部分のいずれかの側上に２つの第２のウェブ又は第２のウェブ部分を備えることができる。この構造は、例えば、多層を有する炭素装填又は断熱パッドがフィルタリングウェブ又はフィルタリングウェブ部分として使用されるときに有用であり得る。これらの実施形態では、それぞれの第２ウェブ又はその一部分が、上述の材料のいずれかを含む、同じ又は異なる材料で作製され得る。いくつかの実施形態では、それぞれの第２のウェブ又はその一部分は、低密度のスパンボンドポリプロピレンである。
【００６３】
いくつかの実施形態では、第２のウェブ又はその一部分には、芳香剤又は香油が提供され得る。例えば、第２のウェブ又はその一部分は、使用者を鎮静する又は安心させるために、ミント若しくは冬緑芳香剤又は油で処理され得る。これらの実施形態のいくつかでは、使用者の皮膚に接触するように位置付けられる未処理の第２のウェブ部分があってもよく、一方、芳香剤が提供される第２のウェブ部分は、使用者の皮膚に接触しないように位置付けられてもよい。
【００６４】
いくつかの実施形態では、少なくとも１つの第２のウェブ又は第２のウェブ部分は、可鍛性材料で作製され得る。これは、例えば、フェイスマスクが、着用される時、所望の形状を保持することを可能にするのに有用であり得る。例えば、スリットとプリーツの組み合わせが使用者の特徴のために空間を提供するように使用される実施形態では、可鍛性材料の第２のウェブ部分は、この空間を空けたままに保持するのに役立つことができる。これらの実施形態のいくつかでは、使用者の皮膚に接触するように位置付けられる柔らかく可撓性の第２のウェブ部分があってもよく、一方、可鍛性材料の第２のウェブ部分は、使用者の皮膚に接触しないように位置付けられてもよい。
【００６５】
本開示に従う及び／又は本開示に従い作製されたフェイスマスクは、フェイスマスクの上縁部又は底縁部のうちの少なくとも１つの上に配置される、模様付きの接着剤であり得る、接着テープ又は接着ストリップも含むことができる。接着ストリップ（例えば、模様付き接着剤）は、例えば回転式印刷コーティングを使用して、上縁部又は底縁部のうちの少なくとも１つの上のフェイスマスク上にコーティング又は印刷され得る。接着テープストリップは、所望の位置（複数可）のフェイスマスク上にも設置され得る。接着テープ又は接着ストリップは、フィルタリングウェブ部分の上縁部若しくは底縁部のうちの少なくとも１つ、第２のウェブ部分の上縁部若しくは底縁部のうちの少なくとも１つ、又は弾性不織布シートの中央部分の上縁部又は底縁部のうちの少なくとも１つの上に配置され得る。いくつかの実施形態では、接着テープストリップは、フェイスマスクの顔側上の第２のウェブ部分に接着される。接着テープストリップは、例えば、着用者の鼻、頬、又は顎の上の中央部分のより良い適合を提供するために有用であり得る。より良い適合は、フェイスマスクと顔との間のあらゆるギャップを通る病原体の移動を防止するためのフェイスマスクの機能を強化することができる。接着テープストリップは、例えば、ヒトの皮膚と物理的かつ生物学的に適合性のある圧感接着剤（ＰＳＡ）を含むことができ、このＰＳＡは、不織布繊維上にコーティングされ得る（例えば、水流交絡若しくは針仕付されたポリエステル又はレーヨン不織布）。適切な皮膚に適合性のある圧感接着剤は、アクリル系接着剤、ポリオレフィン接着剤、ゴム系接着剤、及び粘着付与ブロックコポリマー接着剤を含む。簡便なパッケージングのために、取り外し可能なライナーが接着テープ又はストリップ上に提供され得る。取り外し可能なライナーを有するいくつかの有用な皮膚に適合性のある接着剤は、市販の、例えば、商品名「３Ｍ  ＤＯＵＢＬＥ−ＣＯＡＴＥＤ  ＳＰＵＮＬＡＣＥ  ＮＯＮＷＯＶＥＮ  ＴＡＰＥ  ９９１７」として３Ｍ  Ｃｏｍｐａｎｙ，Ｓｔ．Ｐａｕｌ，Ｍｉｎｎから入手可能な不織布担体二重コーティングテープである。
【００６６】
本開示に従う及び／又は本開示に従い作製されたフェイスマスクは、フェイスマスクの上縁部又は底縁部のうちの少なくとも１つの上に配置される、細長い可鍛性部材も含むことができる。可鍛性部材は、弾性不織布シートの中央部分に、着用者から離れて面したフェイスマスクの外表面上に設置されるか、又は多層構造では、いずれかの層の間にあってもよい（例えば、フィルタリングウェブ部分と第２のウェブ部分、又はフィルタリングウェブ部分と弾性不織布シート）。可鍛性部材は、例えば、着用者の鼻、頬、又は顎の上の中央部分のより良い適合を提供するために有用であり得る。代表的な適切な可鍛性部材は、金属ワイヤ又はアルミニウムバンドを含む。
【００６７】
本開示に従う及び／又は本開示に従い作製されたフェイスマスクは、例えば、フェイスマスクに更なる望ましい特徴を提供するのに有用であり得る取り外し可能なパッドも含むことができる。例えば、鎮静芳香剤が所望される時、ミント若しくは冬緑芳香剤又は油で処理されたパッドが、図８Ｂに図示される実施形態の切り込み８１のうちの１つに挿入され得る。芳香剤がもはや効果的ではない、又はもはや所望されない時、パッドは、切り込み８１のうちの１つを通してフェイスマスクから容易に取り除かれ得る。
【００６８】
本開示に従う及び／又は本開示に従い調製されたフェイスマスクは、様々な技法を使用して分配可能に作製され得る。いくつかの実施形態では、本開示に従う及び／又は本開示に従い作製された複数個のフェイスマスクは、第１のフェイスマスクと、第２のフェイスマスクを含む折り合わされたフェイスマスクの積重体に含まれ、第１のフェイスマスクの第２の側方端部分４８は、第２のフェイスマスクの第１の側方端部分４６’又は第２の側方端部分４８’と折り合わされる。第１の側方端部分４６は、典型的には、積重体（例えば、ディスペンサーの）から掴まれ、取り出されるように利用可能である。いくつかの代表的な折り合わせ構成が、図４Ａ、４Ｂ、４Ｃ、４Ｄ、４Ｅ、及び４Ｆに示される。図４Ａ及び４Ｃは異なる種類のＺ字型の折り畳み部分を図示する。図４Ｂは、いわゆるＶ字型の折り畳み部分又はＵ字型の折り畳み部分を図示する。図４Ｄ及び４Ｅは、Ｃ字型の折り畳み構成を図示する。第１のフェイスマスクの第２の側方端部分が第２のフェイスマスクの第１又は第２の側方端部分と折り合わされる時、第１のフェイスマスクの第２の側方端部分は、第２のフェイスマスクの第１又は第２の側方端部分と重なり合うことが理解され得る。図４Ｂ及び４Ｃにおいて、第１のフェイスマスクの第２の側方端部分４８は、直接的な対面配置で、第２のフェイスマスクの第１の側方端部分４６’と重なり合う。図４Ａ及び４Ｄにおいて、第２のフェイスマスクの第１の側方端部分４６’は、それ自体の上に最初に折り畳まれ、第１のフェイスマスクの折り畳まれた第２の側方端部分４８の中に組み込まれる。同様に、第２のフェイスマスクの第２の側方端部分４８’は、積重体の次のフェイスマスクの第１の側方端部分４６”と折り合わされる。図４Ｅにおいて、第１のフェイスマスクの第２の側方端部分４８は、それ自体の上に最初に折り畳まれ、第２のフェイスマスクの折り畳まれていない第１の側方端部分４６’と折り合わされる。この構成では、第２の側方端部分４８、４８’、及び４８”のみがそれ自体上に折り畳まれ、一方、第１の側方端部分４６、４６’、及び４６”は折り畳まれないままである。図４Ｅに図示される実施形態では、折り畳まれた第２の側方端部分４８、４８’、及び４８”は、相互に重なり合わない。他の実施形態では、フェイスマスクは、折り畳まれた第２の側方端部分が重なり合うように位置付けられ得る。折り畳み構成のいずれかでは、中央部分４４、４４’は、例えば、図４Ｂ及び４Ｅに図示されるように折り畳まれ得る。あるいは、中央部分４４、４４’は、例えば、図４Ａ、４Ｃ、及び４Ｄに図示するように、折り畳み部分を有さない場合がある。
【００６９】
図４Ｆにおいて、折り合わされたフェイスマスクの積重体は、変性されたＳ字型の折り畳み構成を有する。この構成では、それぞれのフェイスマスクが３つの折り畳み部分を含む。図４Ａ〜４Ｅに示される他の構成では、折り合わさったフェイスマスクの積重体は、典型的には、１つ又は２つの折り畳み部分を含有する。第１のフェイスマスクの第２の側方端部分４８は、中央部分に最初に折り畳まれ、中央部分４４’及び第１の側方端部分４６’の一部の重なり合いにより作製される第２のフェイスマスクの折り畳み部分と折り合わされる。それぞれのフェイスマスクは、マスクに第３の折り畳みとなる中央部分４４、４４’、及び４４”に折り畳み部分を有する。図４Ｆに図示される実施形態では、折り畳まれた第２の側方端部分４８、４８’、及び４８”のそれぞれは、必要条件ではないが、積重体において、１つの上にもう１つが位置付けられる。有利に、図４Ｆに示される折り畳み構成は、フェイスマスクをコンパクトなディスペンサーから１度に１つ取り出すことを可能する（例えば、図５Ｂの短い１対の側面５２の長さは、横断方向のフェイスマスクの長さの３分の１までである）。これらの実施形態では、ディスペンサー５０の短い１対の側面５２は、ディスペンサーの幅と称される場合がある。いくつかの実施形態では、容器は、第１のフェイスマスクの長さの約４分の１の幅を有する。
【００７０】
本明細書に開示される折り合わされたフェイスマスクの実施形態のいずれかでは、積重体中のフェイスマスクの数は制限されず、例えば、少なくとも１０、２０、３０、４０、又は５０、であり得、かつ例えば、３００、２５０、２００、又は１００までであり得る。より大きな数のフェイスマスクを有する積重体（例えば、２０より大きい）について、個別のフェイスマスクが取り出されると、積重体を開口部に向かって促すために、ディスペンサーの底部にバネシステムを有するのが有用であり得る。
【００７１】
本開示に従う及び／又は本開示に従い作製された複数個のフェイスマスクについての代表的なディスペンサーは、図５Ａ、５Ｂ、及び５Ｃに示される。種々の異なる形状及び材料が、フェイスマスクを分配するのに有用であり得る。いくつかの実施形態では、ディスペンサー５０は、図５Ａに図示されるように、可撓性のポリマーフィルム（例えば、ポリエチレン、ポリプロピレン、又はそれらの組み合わせ）、又は他の可撓性材料で作製される。他の実施形態では、ディスペンサー５０は、図５Ｂに図示されるように、比較的より剛性な材料（例えば、板紙又は厚紙）から作製される。図示されるディスペンサー５０は、別の１対の側面５４と連続する１対の側面５２、並びに側面５２及び５４と接触する底部５６を有する。折り合わされたフェイスマスクの積重体は、図５Ａ及び５Ｂのディスペンサー５０の底部５６上に置かれてもよい。ディスペンサー５０の側面５２及び５４は深さＤを有する。いくつかの実施形態では、深さＤは、フェイスマスクの幅の半分までであり、幅は、長手方向Ｌで測定された最大寸法である。いくつかの実施形態では、深さＤに対するフェイスマスクの幅の割合は、少なくとも２（いくつかの実施形態では、少なくとも２．２５、２．５、２．６、又は２．７５）であり、約３までであってもよい。複数個のフェイスマスクを取り出すための開口６０を有する上部５８も、側面５２及び５４と接触する。開口６０は、いくつかの実施形態では、ディスペンサー５０の上部５８の一部分を取り除くことにより露出し得る。取り外し可能な部分は、ミシン目が入れられてもよい。種々のディスペンサーの形状が、本明細書に開示される複数個のフェイスマスクを分配するのに有用であり得る。例えば、ディスペンサーは、立方体、三角形、正方形、若しくは矩形のピラミッド、三角形、台形、若しくは矩形のプリズム、円筒形、又は別の有用な形状であり得る。代表的な三角形のプリズム形状のディスペンサー５０ｃは、図５Ｃに示される。ディスペンサー５０ｃは、２つの対の側面５２ｃ及び５４ｃ、及び底部５６ｃを有する。例えば、図５Ｃに示されるように、三角形のプリズム形状、又は台形のプリズムでは、本開示に従うフェイスマスクの積重体は、容易な分配のために折り合わされる必要がない。例えば、平坦な構成のフェイスマスクの積重体は、プリズムの底部５６ｃの紙製の円筒形支持体の上部の三角形又は台形のプリズム形状のディスペンサーに設置され得る。紙製の円筒形は、容易に取り出せるように、フェイスマスクの中央部分を、プリズムの上部の開口６０ｃに向かって促す。
【００７２】
容器からフェイスマスクを取り出すための開口６０は、図５Ａ及び５Ｂに図示される実施形態において、楕円形又は略矩形を有する。円形、正方形、卵形、又は三角形等の他の形状も可能である。図６Ａ及び６Ｂは、他の有用な開口形状を有するディスペンサーの上部６８を図示する。図６Ａにおいて、開口６０はスリットの形態であり、より構造化された開口６０は図６Ｂに示される。開口６０は、典型的には幅Ｗを有する。いくつかの実施形態では、開口６０は、長さＬも有することができる。図６Ｂに図示されるように、一般に円形である、又は別の方法で対称の多軸線を有する開口では、幅及び長さは同じであり得る。いくつかの実施形態では、開口は、フェイスマスクの幅の半分までであり、幅は、長手方向Ｌで測定された最大寸法である。いくつかの実施形態では、開口の幅に対するフェイスマスクの幅の割合は、少なくとも２（いくつかの実施形態では、少なくとも２．２５、２．５、２．６、又は２．７５）であり、約３までであってもよい。開口の幅に対するフェイスマスクの幅の割合が２未満の時、本明細書に開示されるフェイスマスクの折り合わされた積重体の不良な分配が生じる場合がある。例えば、４インチ（１０．２ｃｍ）の幅を有するフェイスマスクの折り合わされた積重体の不良な分配は、２．３７５インチ（６．０ｃｍ）の幅Ｗを有する図６Ｂに示される開口を通して観察される。いくつかの実施形態では、フェイスマスクを取り出すための開口を有する容器の少なくとも一側面は、可撓性のポリマーフィルムを含む。これらの実施形態のいくつかでは、容器の少なくとも一側面は、コム性材料を含む。ゴム性材料は、容易な取り出しの準備ができるポップアップした又は部分的に分配された位置に上部マスクを維持することにより分配を向上させることができる。ディスペンサーは、本開示の複数個のフェイスマスクを１つの開口から、そして例えば、ティッシュ又は拭取り布を別の開口から分配するために、２つ以上の開口を有することができる。
【００７３】
本開示に従う及び／又は本開示に従い作製される複数個のフェイスマスクは、上述の連続積層ウェブからも分配され得る。例えば、連続積層ウェブは、図７Ａ及び７Ｂに示されるフェイスマスク７０のロールの形態であり得る。図示される実施形態では、ロールは、芯の周囲に形成される。いくつかの実施形態では、連続積層ウェブは、芯のないロールに形成され、フェイスマスクは、ロールの内部から、例えば、一般的な缶の形態のディスペンサーから分配され得る。いくつかの実施形態では、連続積層ウェブは、分配のために交互方向に折り畳まれ得る。
【００７４】
本開示に従う連続積層ウェブについて、複数個のフェイスマスクは、連続ウェブ７２の中に打ち抜かれるが、ウェブが例えばロールに形成されるか、又は別の方法で連続ウェブから分配され得るように連続ウェブ７２から取り出されない場合がある。実線は純粋な切り込みを表し、複数個のフェイスマスクに含まれない残りのウェブ部分は、取り出され得る。複数個のフェイスマスク１００は、ミシン目による連結を介して相互に連結されてもよい。ミシン目は、ディスペンサーの種類に望ましい長さ及び間隔を有することができる。例えば、フェイスマスクは、ロールの中央部分から分配するのに、ちょうど２つ又は３つの間隔を介した点で相互に連結され得る。ウェブ上のフェイスマスク１００は、図７Ａに示されるように、隣接関係にあるか、又は図７Ｂに示されるように、フェイスマスクの間に空間７３があってもよい。間隔７３は、例えば分配される後続のマスクに使用者が触る必要がないため、有用であり得る。また、ディスペンサーが、フェイスマスクが分配される開口近くにフックストリップが提供される場合、フックストリップは、次に分配されるマスクを所定の位置に保持するために、間隔７３に固定することができる。
【００７５】
図示される実施形態では、連続ウェブは、機械方向に連続して位置する複数個のフェイスマスク１００を含み、連続ウェブは、第１の長手方向縁部７６と、第２の長手方向縁部７８とを有する。フェイスマスクの第１の側方端部分１１６は、連続積層ウェブの第１の長手方向縁部７６に延在し、第２の側方端部分１１８は、連続積層ウェブの第２の長手方向縁部７８に延在する。いくつかの実施形態では、第１の側方端部分１１６及び第２の側方端部分１１８は、複数個のフェイスマスクが分配のために巻かれる又は折り畳まれる前に、中央部分上に折り畳まれ得る。フィルタリングウェブ１３０（及び任意に第２のウェブ）は、ロールの中央レーン７４に沿って固着される。いくつかの実施形態では、フィルタリングウェブ１３０は、中央レーンの少なくとも一部分が第１及び第２の側方端部分１１６及び１１８に対して、少なくとも一方向において、減少した伸長を有する様式で、連続ウェブ７２の中央レーン７４に固着される。いくつかの実施形態では、連続ウェブの中央レーン７４は、機械方向に５（いくつかの実施形態では、４、３、２、又は１まで）％までの伸長を有する。機械方向に減少した伸長は、例えば、複数個のフェイスマスクのロールからの簡便な分配に有用であり得る。フェイスマスクの連続ロールからの分離は、フェイスマスクが分配方向に伸縮性であるとき、使用者には困難である。連続ウェブの中央レーン７４の伸長は、例えば、上述のように、材料の選択、フィルタリングウェブの固着の程度、及びフィルタリングウェブのプリーツの数によって制御され得る。いくつかの実施形態では、中央部分におけるフェイスマスク１００の上縁部及び底縁部で、伸長は、横断方向において、５（いくつかの実施形態では、４、３、２、又は１）％までであり得、一方、上縁部と底縁部との間では、伸長は、横断方向において、５より大きく、１５（いくつかの実施形態では、１４、１３、１２、１１、又は１０まで）％までであり得る。
【００７６】
図７Ａ及び７Ｂに図示されるロールは、それらがディスペンサーに封入される前に、例えば、本明細書に開示される複数個のフェイスマスクを輸送し、保管するのに有用でもあり得る。
【００７７】
本開示の選択された実施形態
【００７８】
第１の実施形態では、本開示は、フェイスマスクを作製する方法を提供し、本方法は、
機械方向に連続する弾性不織布ウェブを提供する工程であって、弾性不織布ウェブが機械方向に延在する中央レーンを有し、中央レーンが横ウェブ幅を有する、工程と、
機械方向に連続し、中央レーンの横ウェブ幅と実質的に同じである横ウェブ幅を有するフィルタリングウェブを、弾性不織布ウェブの中央レーンに固着して、積層ウェブを提供する工程と、
フェイスマスクを積層ウェブの中に打ち抜く工程であって、フェイスマスクが、弾性不織布ウェブの部分と、フィルタリングウェブの部分と、を備え、弾性不織布ウェブの部分が、弾性不織布ウェブの中央レーンから打ち抜かれた中央部分を有する細長い形状と、それぞれ、対向して中央部分の側面に位置する第１及び第２の側方端部分とを有し、フィルタリングウェブの部分が中央部分に固着される、工程と、を含む。
【００７９】
第２の実施形態では、本開示は第１の実施形態に従う方法を提供し、フェイスマスクは、第１の側方端部分に第１の開口部、及び第２の側方端部分に第２の開口部を更に含む。
【００８０】
第３の実施形態では、本開示は第１の実施形態に従う方法を提供し、フェイスマスクは、第１の側方端部分に第１の型抜き部材、及び第２の側方端部分に第２の型抜き部材を更に含む。
【００８１】
第４の実施形態では、本開示は第１〜第３の実施形態のいずれか１つに従う方法を提供し、フィルタリングウェブが機械方向に延在する少なくとも１つのプリーツを有するようにフィルタリングウェブをプリーツ加工する工程を更に含む。
【００８２】
第５の実施形態では、本開示は第４の実施形態に従う方法を提供し、プリーツ加工は、機械方向に延在する複数のプリーツを提供する。
【００８３】
第６の実施形態では、本開示は第１〜第５の実施形態のいずれか１つに従う方法を提供し、少なくとも１つの切り込みがフェイスマスクの中央部分に提供されるように、弾性不織布ウェブの中央レーンに断続的にスリットを付ける工程を更に含む。
【００８４】
第７の実施形態では、本開示は第６の実施形態に従う方法を提供し、切り込みは、フェイスマスクの長手方向寸法の１０〜１００％の範囲の長さを有する。
【００８５】
第８の実施形態では、本開示は第１〜第７の実施形態のいずれか１つに従う方法を提供し、フィルタリングウェブは、中央部分が第１及び第２の側方端部分に対して、少なくとも一方向において、減少した伸長を有する様式で、弾性不織布ウェブの中央レーンに固着される。
【００８６】
第９の実施形態では、本開示は第１〜第８の実施形態のいずれか１つに従う方法を提供し、
機械方向に連続する第２のウェブを弾性不織布ウェブの中央部分に固着して、積層ウェブを提供する工程を更に含む。
【００８７】
第１０の実施形態では、本開示は第９の実施形態に従う方法を提供し、第２のウェブが機械方向に延在する少なくとも１つのプリーツを有するように第２のウェブをプリーツ加工する工程を更に含む。
【００８８】
第１１の実施形態では、本開示は第１０の実施形態に従う方法を提供し、プリーツ加工は、機械方向に延在する複数のプリーツを提供する。
【００８９】
第１２の実施形態では、本開示は第９〜第１１の実施形態のいずれか１つに従う方法を提供し、第２のウェブは弾性である。
【００９０】
第１３の実施形態では、本開示は第９〜第１２の実施形態のいずれか１つに従う方法を提供し、フィルタリングウェブ又は第２のウェブのうちの少なくとも１つは、不織布材料又は微細複製穿孔フィルムのうちの少なくとも１つを含む。
【００９１】
第１４の実施形態では、本開示は第１〜第１３の実施形態のいずれか１つに従う方法を提供し、弾性不織布ウェブ部分の中央部分の少なくとも一部分は、１５％未満の伸長を有する。
【００９２】
第１５の実施形態では、本開示は第１〜第１３の実施形態のいずれか１つに従う方法を提供し、弾性不織布ウェブ部分の中央部分の少なくとも一部分は、少なくとも７０％の伸長を有する。
【００９３】
第１６の実施形態では、本開示は第１〜第１５の実施形態のいずれか１つに従う方法を提供し、弾性不織布ウェブ部分の中央部分は、機械方向に５％までの伸長を有する。
【００９４】
第１７の実施形態では、本開示は第１〜第１６の実施形態のいずれか１つに従う方法を提供し、フェイスマスクの上縁部又は底縁部のうちの少なくとも１つの上に取り外し可能なライナーを有する接着ストリップを提供する工程を更に含む。
【００９５】
第１８の実施形態では、本開示は、
細長い形状と、中央部分と、それぞれ対向して中央部分の側面に位置する第１及び第２の側方端部分と、第１の側方端部分に第１の開口部と、第２の側方端部分に第２の開口部と、を有する弾性不織布シートと、
弾性不織布シートの中央部分に固着されるフィルタリングウェブ部分であって、中央部分が第１及び第２の側方端部分に対して、少なくとも一方向において、減少した伸長を有する様式で、中央部分に固着される、フィルタリングウェブ部分と、を備える、フェイスマスクを提供する。
【００９６】
第１９の実施形態では、本開示は第１８の実施形態に従うフェイスマスクを提供し、フェイスマスクの上縁部及び底縁部の中央部分は、上縁部と底縁部との間の中央部分に対して減少した伸長を有する。
【００９７】
第２０の実施形態では、本開示は第１８又は第１９の実施形態に従うフェイスマスクを提供し、フィルタリングウェブ部分は少なくとも１つのプリーツを有する。
【００９８】
第２１の実施形態では、本開示は第２０の実施形態に従うフェイスマスクを提供し、フィルタリングウェブ部分は、複数のプリーツを有する。
【００９９】
第２２の実施形態では、本開示は第１８〜第２１の実施形態のうちのいずれか１つに従うフェイスマスクを提供し、弾性不織布シートは、中央部分に少なくとも１つの切り込みを有する。
【０１００】
第２３の実施形態では、本開示は第２２の実施形態に従うフェイスマスクを提供し、切り込みは、フェイスマスクの長手方向寸法の１０〜１００％の範囲の長さを有する。
【０１０１】
第２４の実施形態では、本開示は第１８〜第２３の実施形態のうちのいずれか１つに従うフェイスマスクを提供し、弾性不織布シートの中央部分に直接的又は間接的に固着される第２のウェブ部分を更に備える。
【０１０２】
第２５の実施形態では、本開示は第２４の実施形態に従うフェイスマスクを提供し、第２のウェブ部分は、任意に弾性である微細複製穿孔ウェブ又は不織布材料のうちの少なくとも１つを含み、フィルタリングウェブ部分は、微細複製穿孔ウェブ又は不織布材料のうちの少なくとも１つを含む。
【０１０３】
第２６の実施形態では、本開示は第１８〜第２５の実施形態のいずれか１つに従うフェイスマスクを提供し、弾性不織布シートの中央部分の少なくとも一部分は、１５％未満の伸長を有する。
【０１０４】
第２７の実施形態では、本開示は、第１８〜第２５の実施形態のいずれか１つに従うフェイスマスクを提供し、弾性不織布シートの中央部分の少なくとも一部分は、少なくとも７０％の伸長を有する。
【０１０５】
第２８の実施形態では、本開示は、第１８〜第２７の実施形態のいずれか１つに従うフェイスマスクを提供し、フェイスマスクの上縁部又は底縁部のうちの少なくとも１つの上に配置される接着テープ又は接着ストリップを更に含み、接着テープ又は接着ストリップは、取り外し可能なライナーが提供される。
【０１０６】
第２９の実施形態では、本開示は、機械方向に連続して位置付けられる複数個のフェイスマスクを含む連続積層ウェブを提供し、連続積層ウェブは、第１の長手方向縁部及び第２の長手方向縁部を有し、フェイスマスクのそれぞれは、弾性不織布ウェブの部分と、フィルタリングウェブの部分とを備え、弾性不織布ウェブの部分は、細長い形状と、中央部分と、それぞれが対向して中央部分の側面に位置する、第１及び第２の側方端部分とを有し、第１の側方端部分は、連続積層ウェブの第１の長手方向縁部に延在し、第２の側方端部分は、連続ウェブの第２の長手方向縁部に延在し、フィルタリングウェブの部分は、中央部分に固着される。
【０１０７】
第３０の実施形態では、本開示は、第１８〜第２８の実施形態のいずれか１つに従うフェイスマスクを含む、複数個のフェイスマスクを封入する容器を備えるディスペンサーを提供し、容器は、複数個のフェイスマスクを取り出すための開口を有する少なくとも１つの側面を有する。
【０１０８】
第３１の実施形態では、本開示は、第３０の実施形態に従うディスペンサーを提供し、容器は、第１のフェイスマスクの長さの３分の１までの幅を有する。
【０１０９】
第３２の実施形態では、本開示は、弾性材料の層と、少なくとも１つの平坦なプリーツを有する、平坦プリーツ加工された材料である少なくとも１つの部分層とを含む、平坦な伸縮性フェイスマスクを提供し、平坦な伸縮性フェイスマスクを伸張する時、弾性材料が伸張し、少なくとも１つの平坦なプリーツが少なくとも部分的に開いて、少なくとも１つの部分層を拡張する。
【０１１０】
第３３の実施形態では、本開示は、第３２の実施形態に従う平坦な伸縮性フェイスマスクを提供し、弾性材料に少なくとも１つの切り込みがある。
【０１１１】
第３４の実施形態では、本開示は、第３２又は第３３の実施形態に従う平坦な伸縮性のフェイスマスクを提供し、平坦なプリーツ加工された材料は、複数の平坦なプリーツを有する。
【０１１２】
この開示は、趣旨及び範囲から逸脱することなく様々な修正及び変更が可能である。したがって、本開示は、上記の実施形態に限定されないが、以下の請求項及び全てのその等価物に詳述する制限によって規制される。本開示は、本明細書に具体的に開示されていない要素を欠いても適宜実施され得る。上記に引用した全ての特許及び特許出願は、参照によりその全体が本明細書に組み込まれる。
【図１】
2013521055.tif 000003
【図２】
2013521055.tif 000004
【図３Ａ】
2013521055.tif 000005
【図３Ｂ】
2013521055.tif 000006
【図４Ａ】
2013521055.tif 000007
【図４Ｂ】
2013521055.tif 000008
【図４Ｃ】
2013521055.tif 000009
【図４Ｄ】
2013521055.tif 000010
【図４Ｅ】
2013521055.tif 000011
【図４Ｆ】
2013521055.tif 000012
【図５Ａ】
2013521055.tif 000013
【図５Ｂ】
2013521055.tif 000014
【図５Ｃ】
2013521055.tif 000015
【図６Ａ】
2013521055.tif 000016
【図６Ｂ】
2013521055.tif 000017
【図７Ａ】
2013521055.tif 000018
【図７Ｂ】
2013521055.tif 000019
【図８Ａ】
2013521055.tif 000020
【図８Ｂ】
2013521055.tif 000021
【図９】
2013521055.tif 000022
【国際調査報告】
2013521055.tif 000023
2013521055.tif 000024
2013521055.tif 000025